【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
配向膜を夫々有する一対の基板の間に、前記配向膜によってプレチルトを付与された液晶分子からなる垂直配向型の液晶が挟持されてなり、光を変調する液晶パネルと、
前記液晶パネルを挟んで配置された一対の偏光板と、
前記一対の偏光板の間に配置されており、第１屈折率異方性を保持すると共に前記第１屈折率異方性の第１光軸が厚さ方向に沿った第１位相差板と、
前記一対の偏光板の間に配置されており、(i)第１基板及び(ii)第２屈折率異方性を保持すると共に前記第２屈折率異方性の第２光軸が前記プレチルトによる前記光の特性変化を打ち消す方向に傾斜するように前記第１基板上に斜方蒸着された蒸着膜を有する第２位相差板と
を備え、
前記第２位相差板は、前記第２位相差板の法線方向を回転軸にして回転可能である
ことを特徴とする液晶装置。
【請求項２】
前記第１位相差板の厚さ及び前記第１位相差板の厚さ方向の屈折率は、前記一対の偏光板のうち前記光の出射側に位置する一の偏光板の真正面から見た場合を０度とした際の視線の角度を示す極角が３０度である場合における位相差が２０（ｎｍ：nanometer）以下であるように設定されることを特徴とする請求項１に記載の液晶装置。
【請求項３】
前記第２屈折率異方性は、二軸性であることを特徴とする請求項１又は２に記載の液晶装置。
【請求項４】
前記第２屈折率異方性は、前記第２光軸をＸ軸とした場合、Ｘ軸方向の屈折率はＹ軸方向の屈折率より大きく、且つ、前記Ｙ軸方向の屈折率はＺ軸方向の屈折率より大きいという大小関係を有することを特徴とする請求項１から３のうちいずれか一項に記載の液晶装置。
【請求項５】
前記第２位相差板は、前記第１基板が設けられた側を前記第１基板が設けられない側と比較して、前記液晶パネルに近づけるように配置されることを特徴とする請求項１から４のうちのいずれか一項に記載の液晶装置。
【請求項６】
前記第２位相差板は、前記第１基板が設けられた側を前記第１基板が設けられない側と比較して、前記一対の偏光板のいずれか一方に近づけるように配置されることを特徴とする請求項１から４のうちのいずれか一項に記載の液晶装置。
【請求項７】
前記第１位相差板は、前記第２位相差板と比較して、前記液晶パネルから遠い位置に配置されることを特徴とする請求項１から６のうちいずれか一項に記載の液晶装置。
【請求項８】
前記一対の偏光板の一対の透過軸は、互いに直交すると共に、前記第１基板の法線方向から見て、前記プレチルトを付与された液晶分子の長軸方向と４５度の角度を夫々なし、
前記第２位相差板では、前記第２光軸が前記一対の透過軸のいずれか一方の方向に沿うことを特徴とする請求項１から７のうちいずれか一項に記載の液晶装置。
【請求項９】
前記蒸着膜は、無機材料を含んで構成されることを特徴とする請求項１から８のうちいずれか一項に記載の液晶装置。
【請求項１０】
配向膜を夫々有する一対の基板の間に、前記配向膜によってプレチルトを付与された液晶分子からなる垂直配向型の液晶が挟持されてなり、光を変調する液晶パネルと、
前記液晶パネルを挟んで配置された一対の偏光板と、
前記一対の偏光板の間に配置されており、(i)第１基板、(ii)第１屈折率異方性を保持すると共に前記第１屈折率異方性の第１光軸が厚さ方向に沿うように前記第１基板上に垂直蒸着された第１蒸着膜及び(iii)第２屈折率異方性を保持すると共に前記第２屈折率異方性の第２光軸が前記プレチルトによる前記光の特性変化を打ち消す方向に傾斜するように前記第１蒸着膜上に斜方蒸着された第２蒸着膜を有する位相差板と
を備えることを特徴とする液晶装置。
【請求項１１】
請求項１から１０のうちいずれか一項に記載の液晶装置と、
前記光を出射する光源と、
前記変調された光を投射する投射光学系と
を備えることを特徴とするプロジェクタ。
【請求項１２】
請求項１から９のうちいずれか一項に記載の液晶装置における光学補償を行う光学補償方法であって、
前記第２位相差板を、前記第２位相差板の法線方向を回転軸にして、回転させる第１光学調整ステップと、
前記一対の偏光板の少なくとも一方を、前記法線方向を回転軸にして、回転させる第２光学調整ステップと
を備えることを特徴とする液晶装置の光学補償方法。
【請求項１３】
請求項１０に記載の液晶装置における光学補償を行う光学補償方法であって、
前記位相差板を、前記位相差板の法線方向を回転軸にして、回転させる第１光学調整ステップと、
前記一対の偏光板の少なくとも一方を、前記法線方向を回転軸にして、回転させる第２光学調整ステップと
を備えることを特徴とする液晶装置の光学補償方法。
【請求項１４】
配向膜を夫々有する一対の基板の間に、前記配向膜によってプレチルトを付与された液晶分子からなる垂直配向型の液晶が挟持されてなり、光を変調する液晶パネルと、前記液晶パネルを挟んで配置された一対の偏光板と共に用いられ、前記一対の偏光板の間に配置される位相差板であって、
(i)第１基板と、
(ii)第１屈折率異方性を保持すると共に前記第１屈折率異方性の第１光軸が厚さ方向に沿うように前記第１基板上に垂直蒸着された第１蒸着膜と、
(iii)第２屈折率異方性を保持すると共に前記第２屈折率異方性の第２光軸が前記プレチルトによる前記光の特性変化を打ち消す方向に傾斜するように前記第１蒸着膜上に斜方蒸着された第２蒸着膜と
を有することを特徴とする位相差板。
【請求項１５】
配向膜を夫々有する一対の基板の間に、前記配向膜によってプレチルトを付与された液晶分子からなる垂直配向型の液晶が挟持されてなり、光を変調する液晶パネルと、
前記液晶パネルを挟んで配置された一対の偏光板と、
前記一対の偏光板の間に配置されており、(i)第１基板、(ii)第１屈折率異方性を保持すると共に前記第１屈折率異方性の第１光軸が厚さ方向に沿うように前記第１基板の一方側に垂直蒸着された第１蒸着膜及び(iii)第２屈折率異方性を保持すると共に前記第２屈折率異方性の第２光軸が前記プレチルトによる前記光の特性変化を打ち消す方向に傾斜するように前記第１基板の他方側に斜方蒸着された第２蒸着膜を有する位相差板と
を備えることを特徴とする液晶装置。
【請求項１６】
前記第２蒸着膜の膜厚に加えて又は代えて前記第２蒸着膜が斜方蒸着された角度である蒸着角度は、（i）前記位相差板における前記光の出射側から見て正面方向の位相差である正面位相差が第１所定範囲内にあるように設定されることに加えて、（ii）前記位相差板の法線方向と異なると共に前記蒸着膜が斜方蒸着される方向である蒸着方向に沿った第１方向から、前記光が入射する場合に発生する第１位相差と、前記法線方向を基準にして前記第１方向と対称な方向である第２方向から、前記光が入射する場合に発生する第２位相差との比が第２所定範囲内にあるように設定されることを特徴とする請求項１０又は１５に記載の液晶装置。
【請求項１７】
前記膜厚及び前記蒸着角度は、（i）前記正面位相差が大きくなるに従って、前記位相差板を、前記法線方向を回転軸にして回転させる際の回転角度の単位変化量に対するコントラストの変化量が大きくなるように設定されることに加えて又は代えて、（ii）前記正面位相差が小さくなるに従って、前記単位変化量に対する前記コントラストの変化量が小さくなるように設定されることを特徴とする請求項１６に記載の液晶装置。
【請求項１８】
前記第１蒸着膜は、前記第２蒸着膜と比較して、前記液晶パネルから遠い位置に配置されることを特徴とする請求項１０、並びに、１５乃至１７のうちいずれか一項に記載の液晶装置。
【手続補正２】
【補正対象書類名】明細書
【補正対象項目名】０００６
【補正方法】変更
【補正の内容】
【０００６】
（液晶装置）
本発明の第１の液晶装置は上記課題を解決するために、配向膜を夫々有する一対の基板の間に、前記配向膜によってプレチルトを付与された液晶分子からなる垂直配向型の液晶が挟持されてなり、光を変調する液晶パネルと、前記液晶パネルを挟んで配置された一対の偏光板と、前記一対の偏光板の間に配置されており、第１屈折率異方性を保持すると共に前記第１屈折率異方性の第１光軸が厚さ方向に沿った第１位相差板（後述の15e：所謂、Ｃプレート）と、前記一対の偏光板の間に配置されており、(i)第１基板及び(ii)第２屈折率異方性を保持すると共に前記第２屈折率異方性の第２光軸（例えば主屈折率ｎｘ、但し、ｎｘ＞ｎｙ＞ｎｚ）が前記プレチルトによる前記光の特性変化を打ち消す方向に傾斜するように前記第１基板上に斜方蒸着された蒸着膜を有する第２位相差板（後述の15a1）とを備え、前記第２位相差板は、前記第２位相差板の法線方向を回転軸にして回転可能である。